(57)【要約】      （修正有）【課題】顔や頭部の大きさや形状の相違、毛髪量の相違などに関係なく、誰に対しても、頭部から顔の上部に被せるだけで短時間で簡単にセットでき、セット後は確実に広範囲に亘ってしわ伸ばしができるというしわ伸ばしネットを提供する。【解決手段】伸縮性を有する紐素材１を編みこんで筒状ネット体２を形成し、この筒状ネット体の中に多数の編み目通気孔３を確保し、筒状ネット体が縮径方向に伸縮自在となるように構成したことを特徴とする。【選択図】図３
0003172891.tif 000002
【実用新案登録請求の範囲】
【請求項１】
伸縮性を有する紐素材を編みこんで筒状ネット体を形成し、この筒状ネット体の中に多数の編み目通気孔を確保し、筒状ネット体が縮径方向に伸縮自在となるように構成したことを特徴とするしわ伸ばしネット。
【請求項２】
筒状ネット体の内周面にシリコンゴム製の小突起を複数配設したことを特徴とする請求項１記載のしわ伸ばしネット。
【請求項３】
筒状ネット体の片側の開口縁部を閉塞させたことを特徴とする請求項１又は２記載のしわ伸ばしネット。
【考案の詳細な説明】
【技術分野】
【０００１】
本考案は、顔の皮膚に生じたしわを伸ばすために、頭頂部から頭部と顔面上部に亘って、広げながら被るように装着し、広げたネット体の収縮による復元力でしわ伸ばしを行うようにした、しわ伸ばしネットに関する。
【背景技術】
【０００２】
一般に、加齢などの原因で顔の皮膚がたるんで顔の皮膚にしわが発生するが、このしわを少なくする目的で、皮膚そのものを活性化させたり、あるいは皮膚に物理的矯正力を付与してしわを伸ばすことが従来より行われている。
本考案は、後者の範疇に属するしわ伸ばしネットに関する。
【０００３】
顔のしわを物理的矯正力を利用して伸ばすものとしては、次のようなものが知られている。
特開２０００−２２９０１４号公報（特許文献１）には、頭髪に結合する結合具と、この結合具を伸縮自在に連結する連結具を備え、これにより頭の左右の側面の毛髪を引っ張ってしわを伸ばすものとか、特開２００８−２７２４３６号公報（特許文献２）のように額やあごや後頭部間に引きベルトをぐるぐる巻き状に掛け渡すものとか、特開２００９−９１３７１号公報（特許文献３）のようにしわを伸ばしたい部位にしわ伸ばしのための接着シートを貼付するものなどが存在している。
【特許文献１】特開２０００−２２９０１４号公報
【特許文献２】特開２００８−２７２４３６号公報
【特許文献３】特開２００９−９１３７１号公報
【考案の開示】
【考案が解決しようとする課題】
【０００４】
ところで、上記した特許文献１及び２に示したしわ伸ばし具は、頭部や顔面部への装着や取り外しに多大の時間が掛かり、かつ装着操作の慣れが必要となるなど大変手間取るものであり、特許文献３に示したしわ伸ばしのテープは個別のしわに対応して何箇所にもテープ装着操作を行わなければならないという課題があった。
特に目尻のしわ、額のしわとか、小鼻の両脇から唇の両端に伸びるほうれい線のしわを伸ばすためには、注意深くしわ伸ばし具やしわ伸ばしテープのセット位置を探す必要があり、利用者には使いにくいなどの不快感を与える課題があった。
【０００５】
本考案の目的は、顔や頭部の大きさや形状の相違、毛髪量の相違などに関係なく、誰に対しても、頭頂部から頭部と顔面の上部に被せるだけで短時間で簡単にセットでき、セット後は確実に広範囲に亘ってしわ伸ばしができるというしわ伸ばしネットを提供せんとするものである。
【課題を解決するための手段】
【０００６】
前記課題を解決するために、請求項１に記載の考案は、伸縮性を有する紐素材を編みこんで筒状ネット体を形成し、この筒状ネット体の中に多数の編み目通気孔を確保し、筒状ネット体が縮径方向に伸縮自在となるように構成したことを特徴とするしわ伸ばしネットである。
【０００７】
請求項２に記載の考案は、筒状ネット体の内周面にシリコンゴム製の小突起を複数配設したことを特徴とする請求項１記載のしわ伸ばしネットである。
【０００８】
請求項３に記載の考案は、筒状ネット体の片側の開口縁部を閉塞させたことを特徴とする請求項１又は２記載のしわ伸ばしネットである。
【考案の効果】
【０００９】
上記の請求項１乃至３の考案によれば、筒状ネット体の一方の開口縁部を拡径方向に広げながら頭頂部から顔面上部に亘って被り、筒状ネット体の縮径方向の収縮力（締め付け力）で顔全体のしわを伸ばすことができるという効果がある。筒状ネット体には、編み目通気孔が確保されているため、筒状ネットで覆われた頭部や顔面が外気に触れ易くなり、蒸れたりしない効果がある。
【００１０】
さらに、請求項２の考案によれば、シリコンゴム製の小突起が顔面や頭部の皮膚面を刺激してマッサージ・指圧効果を発揮できる。このシリコンゴム製の小突起の素材中に、磁性体やゲルマニウム又は天然鉱石微粉末を練りこんでおくと、磁力線などの作用でマッサージ・指圧効果はさらに効果的となる。
【００１１】
また、請求項３の考案によれば、筒状ネット体を帽子のように被ることができ外見上の体裁が向上するという効果がある。
【図面の簡単な説明】
【００１２】
【図１】本考案に係るしわ伸ばしネットの装着途中の正面図である。
【図２】同装着完了時の正面図である。
【図３】本考案に係るしわ伸ばしネットの展開状態の平面図である。
【図４】前図のＡ−Ａ線断面図である。
【考案を実施するための形態】
【００１３】
以下添付図面に基づいて、本考案に係るしわ伸ばしネットの一実施の形態を詳説するが、本考案はこれらの実施の形態に制限されるものではない。
【００１４】
本考案のしわ伸ばしネットは、ゴムなどの伸縮性を有する紐素材１を編みこんで筒状ネット体２を形成し、この筒状ネット体２の中に多数の編み目通気孔３を確保し、筒状ネット体２が縮径方向に伸縮自在となるように構成したものである。紐素材１は、全てが伸縮性素材のみで形成されるもののほか、一部に否伸縮性布素材などを混ぜ込んだものであってもかまわない。
【００１５】
図１に示されるごとく、本考案のしわ伸ばしネットを使用する際は、筒状ネット体１の一方の開口端縁４を広げながら頭頂部から顔面の上部まで被せ、被せ終わったら広げていた開口縁部４への拡開力の付勢を停止する。拡開力の付勢を停止することで、開口縁部４は縮径方向に収縮するため、顔面と頭部の接触面は筒状ネット体２で締め付けられることとなる。この状態で、筒状ネット体２の開口縁部４側をわずかに上方へ摺り上げる（図１の矢印方向）。また編み目通気孔３が存在するため、顔面と頭部が外気に触れ易い状態が確保されている。
【００１６】
図２に示すように摺り上げが完了した状態では、顔面の皮膚が全体的に頭部方向に引っ張られることとなり、顔全体のしわが頭部方向に向かって伸ばされた状態（絞られた状態）となる。この状態を長時間保持することで、顔面の皮膚や筋肉のたるみが徐々に解消され、しわの消滅効果が発揮される。
しわ伸ばしネットの上記のような使用を繰り返すことで、しわの消滅効果は長時間に亘り発揮できることとなる。
【００１７】
また筒状ネット体２の内周面５にシリコンゴム製の小突起６を複数配設した場合には、この小突起６が顔面や頭部の皮膚面を刺激してマッサージ・指圧効果を発揮するため、血流が良好となり、健康増進が図られる。このシリコンゴム製の小突起の素材中に、磁性体やゲルマニウム又は天然鉱石微粉末を練りこんでおくと、磁力線などの作用でマッサージ・指圧効果はさらに効果的なものとなる。
【００１８】
さらに筒状ネット体２の反対側の開口縁部（被る側の反対側）を閉塞させた場合には、筒状ネット体２をとんがり帽子のように被ることができるので外見上の体裁が向上する。
【産業上の利用可能性】
【００１９】
本考案のしわ伸ばしネットは、家の中でくつろいでいるときや就寝時に装着しておくと、これを習慣化することで特別の苦労をすることなくしわの消滅という効果が達成できるので、化粧関連グッズを取り扱う分野で利用することが可能である。
【符号の説明】
【００２０】
１ …伸縮性を有する紐素材
２ …筒状ネット体
３ …編み目通気孔
４ …一方の開口端縁
５ …筒状ネット体の内周面
６ …小突起
【図１】
0003172891.tif 000003
【図２】
0003172891.tif 000004
【図３】
0003172891.tif 000005
【図４】
0003172891.tif 000006